(57)【特許請求の範囲】
【請求項１】
複数のチャンネルを有する二次電池の試験に使用する充放電試験装置の校正方法であって、
充放電試験装置ユニットは、互いに絶縁された複数のチャンネルを有し、各チャンネルに二次電池に接続するための正極及び負極のプローブを有する充放電試験装置と、前記充放電試験装置を校正する校正治具と、を備える充放電試験装置ユニットを有し、
前記校正治具は、
前記充放電試験装置の各チャンネルの正極のプローブが接続される正極側接続部と、
前記充放電試験装置の各チャンネルの負極のプローブが接続される負極側接続部と、
前記正極側接続部と負極側接続部とを接続するシャント抵抗と、を有し、
前記充放電試験装置は、
前記シャント抵抗の両端電圧を高精度で測定する高精度電圧計と、
各チャンネルに設けられ、前記校正治具に接続される正極及び負極の一対のプローブと、
各チャンネルを流れる電流を測定する電流計と、
各チャンネルに設けられ、前記シャント抵抗の両端電圧を測定する電圧計と、を有し、
所定のチャンネルｃｈｍから前記シャント抵抗に定電流Ｉｍを流す工程と、
前記高精度電圧計により前記シャント抵抗の両端電圧Ｖｒを計測する工程と、
所定のチャンネルｃｈｍに設けられた前記電圧計により、前記シャント抵抗の両端電圧Ｖｍを計測する工程と、
前記両端電圧Ｖｒと前記両端電圧Ｖｍとを比較する工程と、
前記シャント抵抗を流れた電流値Ｉｒと前記定電流Ｉｍとを比較する工程と、を有する
充放電試験装置の校正方法。
【請求項２】
前記校正治具は、前記シャント抵抗と直列に接続され、前記充放電試験装置による充放電電流を蓄電する電圧保持部を更に有する請求項１に記載の充放電試験装置の校正方法。
【発明の詳細な説明】
【技術分野】
【０００１】
本発明は、二次電池の試験に使用される充放電試験装置の校正方法に関する。
【背景技術】
【０００２】
従来、このような分野の技術として、特開２０１３−１４８４５９号公報がある。この公報に記載された充放電試験装置用の校正機ユニットは、それぞれのチャンネルに校正機ユニットが接続される。これらの校正機ユニットは、二次電池と同じ配置の正負の接続端子及び同形状の筐体で構成され、二次電池の変わりに接続端子を介して充放電試験装置に接続して電気的特性を計測する。具体的には、各校正機ユニットには、正負の端子間に直列に接続されたシャント抵抗器と、オンオフスイッチが設けられていると共に、電流計、電圧計が設けられている。
【０００３】
この充放電試験装置用の校正機ユニットを用いて電圧の校正を行う場合には、オンオフスイッチをオフにし、オンオフスイッチ間の電圧を測定する。また電流の校正を行う場合には、オンオフスイッチをオンにし、シャント抵抗を流れる電流を測定する。測定された電流値や電圧値は、無線通信機を通じて試験管理装置に送られる。これにより、試験中の充電電流や電圧などの試験パターンが設定した試験規定に適合しているかをチェックし、校正を行う。
【先行技術文献】
【特許文献】
【０００４】
【特許文献１】特開２０１３−１４８４５９号公報
【発明の概要】
【発明が解決しようとする課題】
【０００５】
しかしながら、前述した従来の充放電試験装置用の校正機ユニットは、電流計、電圧計を備えており、チャンネル数に応じたオンオフスイッチが必要である。また、計測機用にバッテリが必要であると共に、無線機が必要となる。したがって、装置が大型化すると共に複雑化しているという問題がある。
本発明は、簡易な構成で充放電試験装置の校正を行う充放電試験装置の校正方法を提供することを目的とする。
【課題を解決するための手段】
【０００６】
本発明にかかる充放電試験装置の校正方法は、複数のチャンネルを有する二次電池の試験に使用する充放電試験装置の校正方法であって、充放電試験装置ユニットは、互いに絶縁された複数のチャンネルを有し、各チャンネルに二次電池に接続するための正極及び負極のプローブを有する充放電試験装置と、前記充放電試験装置を校正する校正治具と、を備える充放電試験装置ユニットを有し、前記校正治具は、前記充放電試験装置の各チャンネルの正極のプローブが接続される正極側接続部と、前記充放電試験装置の各チャンネルの負極のプローブが接続される負極側接続部と、前記正極側接続部と負極側接続部とを接続するシャント抵抗と、を有し、前記充放電試験装置は、前記シャント抵抗の両端電圧を高精度で測定する高精度電圧計と、各チャンネルに設けられ、前記校正治具に接続される正極及び負極の一対のプローブと、各チャンネルを流れる電流を測定する電流計と、各チャンネルに設けられ、前記シャント抵抗の両端電圧を測定する電圧計と、を有し、所定のチャンネルｃｈｍから前記シャント抵抗に定電流Ｉｍを流す工程と、前記高精度電圧計により前記シャント抵抗の両端電圧Ｖｒを計測する工程と、所定のチャンネルｃｈｍに設けられた前記電圧計により、前記シャント抵抗の両端電圧Ｖｍを計測する工程と、前記両端電圧Ｖｒと前記両端電圧Ｖｍとを比較する工程と、前記シャント抵抗を流れた電流値Ｉｒと前記定電流Ｉｍとを比較する工程と、を有する。
これにより、校正治具に設けられたシャント抵抗の両端電圧と、シャント抵抗に流れた電流の電流値に基づいて、各チャンネルに設けられた電圧計及び電流計の校正を行うことができる。
【発明の効果】
【０００７】
これにより、簡易な構成で充放電試験装置の校正を行う校正方法を提供することができる。
【図面の簡単な説明】
【０００８】
【図１】実施の形態１にかかる充放電装置ユニットの構成を示す図である。
【図２】実施の形態２にかかる充放電装置ユニットの構成を示す図である。
【発明を実施するための形態】
【０００９】
実施の形態１
以下、図面を参照して本発明の実施の形態について説明する。図１に示すように、充放電試験装置ユニット１Ａは、校正対象である充放電試験装置２と、充放電試験装置２を校正するための校正治具３と、充放電試験装置２に設けられたプローブの配置を整えるフィクスチャ４と、を備える。
【００１０】
充放電試験装置２は、電力供給源（図示せず）と、電力供給源に対して並列に接続している複数のチャンネルｃｈ１〜ｃｈＮ（Ｎは任意の数）と、どのチャンネルに電流を流すかを制御する制御部（図示せず）を有している。例えば電力供給源は、制御部の制御に基づいて所定のチャンネルに交流電流を供給する。また、充放電試験装置２が有するチャンネル数Ｎは、例えば５０である。チャンネルｃｈ１〜ｃｈＮはそれぞれ同様の構成を有するため、以下ではチャンネルｃｈ１について説明する。
【００１１】
チャンネルｃｈ１には、電力供給源から交流電圧が入力されるＡＣ／ＤＣコンバータ５ａと、ＡＣ／ＤＣコンバータ５ａから入力した直流電圧を昇圧／降圧するＤＣ／ＤＣコンバータ６ａと、ＤＣ／ＤＣコンバータ６ａの正極、負極がそれぞれ接続されているコネクタ７ａと、ＤＣ／ＤＣコンバータ６ａが出力した電流を計測する電流計８ａと、電圧計９ａと、高精度電圧計であるデジタルマルチメータ１０が設けられている。
【００１２】
ＡＣ／ＤＣコンバータ５ａは、電力供給源から入力された交流電流を直流電流に変換し、ＤＣ／ＤＣコンバータ６ａに出力する。ＡＣ／ＤＣコンバータ５ａとＤＣ／ＤＣコンバータ６ａとの間は、経路１３ａと、経路１４ａの２つを介して接続されている。ここで経路１３ａは、ＡＣ／ＤＣコンバータ５ａの正極側とＤＣ／ＤＣコンバータ６ａの正極側とを接続し、経路１４ａは、ＡＣ／ＤＣコンバータ５ａの負極側とＤＣ／ＤＣコンバータ６ａの負極側とを接続する。
【００１３】
ＤＣ／ＤＣコンバータ６ａは、ＡＣ／ＤＣコンバータ５ａにより入力された直流電流の昇圧や降圧を行う。ＤＣ／ＤＣコンバータ６ａは、コネクタ７ａを介して校正治具３に出力する。ＤＣ／ＤＣコンバータ６ａとコネクタ７ａとの間は、経路１５ａと、経路１６ａの２つを介して接続されている。ここで、経路１５ａは、ＤＣ／ＤＣコンバータ６ａの正極側とコネクタ７ａの正極側とを接続し、経路１６ａは、ＤＣ／ＤＣコンバータ６ａの負極側とコネクタ７ａの負極側とを接続する。
【００１４】
コネクタ７ａには、正極側配線１７ａと負極側配線１８ａが接続されている。ここで、正極側配線１７ａの一端部は、コネクタ７ａにおいて経路１５ａと電気的に接続されており、負極側配線１８ａの一端部は、コネクタ７ａにおいて経路１６ａと電気的に接続されている。また、正極側配線１７ａの他端部にはプローブ１９ａが設けられており、負極側配線１８ａの他端部にはプローブ２０ａが設けられている。これにより、正極側配線１７ａは、コネクタ７ａの正極側と後述する正極側バスバー１１とを接続し、負極側配線１８ａは、コネクタ７ａの負極側と負極側バスバー１２とを接続する。
【００１５】
電流計８ａは、経路１５ａに設けられており、ＤＣ／ＤＣコンバータ６ａから出力される電流の値を測定する。
【００１６】
電圧計９ａは、後述する校正治具３の正極側バスバー１１と負極側バスバー１２との間に接続され、シャント抵抗２３の両端にかかる電圧を測定する。
【００１７】
デジタルマルチメータ１０は、各チャンネルの電圧計９ａ−９ｎを校正するための基準の電圧計として用いる。デジタルマルチメータ１０は、後述する校正治具３の正極側バスバー１１と負極側バスバー１２との間に接続され、シャント抵抗２３の両端にかかる電圧を測定する。なお、デジタルマルチメータ１０には、測定精度（±ｍＶ）が、電流出力精度（±ｍＡ）にシャント抵抗２３の抵抗値Ｒを乗算した値の１０倍以上の精度のものを用いる。これは、出力電流にゆれが生じた場合に、シャント抵抗２３における両端電圧にもゆれが生じるが、この両端電圧のゆれを測定可能とするためである。また一般的には、デジタルマルチメータ１０には、電圧計９ａ〜９ｎの測定精度の１０倍以上の測定精度を有するものを用いる。
【００１８】
校正治具３は、充放電試験装置２の正極側配線１７ａ〜１７ｎのプローブ１９ａ〜１９ｎが接続される正極側バスバー１１と、負極側配線１８ａ〜１８ｎのプローブ２０ａ〜２０ｎが接続される負極側バスバー１２と、正極側バスバー１１と負極側バスバー１２の間に設けられたシャント抵抗２３を備える。
【００１９】
正極側バスバー１１は、正極側配線１７ａ〜１７ｎのプローブ１９ａ〜１９ｎを接続される正極側接続部である。また、正極側バスバー１１には、複数のプローブ接続部２１ａ〜２１ｎが形成されている。例えば、プローブ接続部２１ａにはチャンネルｃｈ１のプローブ１９ａが接続され、プローブ接続部２１ｂにはチャンネルｃｈ２のプローブ１９ｂが接続される。このように、チャンネルｃｈ１からチャンネルｃｈＮまでの全てのプローブ１９ａ〜１９ｎが、プローブ接続部２１ａ〜２１ｎにそれぞれ接続される。なお、正極側バスバー１１に接続されたプローブ１９ａ〜１９ｎは同電位となる。
【００２０】
負極側バスバー１２は、負極側配線１８ａ〜１８ｎのプローブ２０ａ〜２０ｎが接続される負極側接続部である。負極側バスバー１２には、複数のプローブ接続部２２ａ〜２２ｎが形成されている。例えば、プローブ接続部２２ａにはチャンネルｃｈ１のプローブ２０ａが接続され、プローブ接続部２２ｂにはチャンネルｃｈ２のプローブ２０ｂが接続される。このように、チャンネルｃｈ１からチャンネルｃｈＮまでの全てのプローブ２０ａ〜２０ｎが、プローブ接続部２２ａ〜２２ｎにそれぞれ接続される。なお、負極側バスバー１２に接続されたプローブ２０ａ〜２０ｎは同電位となる。
【００２１】
なお、プローブ接続部２１ａ〜２１ｎ及びプローブ接続部２２ａ〜２２ｎは、校正後の充放電試験装置２を用いて試験が行われる二次電池に形成されているプローブの接続部と、同じ形状かつ同じ位置に形成されている。これにより、例えば、充放電試験装置２に二次電池をセットする場合と同様にプローブ１９ａ〜１９ｎ、２０ａ〜２０ｎの挿入の操作をすることで、校正治具３をセットすることができる。
【００２２】
シャント抵抗２３は、正極側バスバー１１と負極側バスバー１２とを接続している。シャント抵抗２３の抵抗値Ｒは、あらかじめ校正が行われている。シャント抵抗２３は、抵抗値Ｒが、各チャンネルｃｈ１〜ｃｈＮの入力インピーダンスＮｚ（Ｎチャンネル分の並列）に比べて無視できる程度に小さい値であるものを用いる。これは、校正したい特定のチャンネルから電流が出力された場合に、電流が、正極側バスバー１１から他のチャンネルに流れることなく、シャント抵抗２３を介して負極側バスバー１２に流れるようにするためである。
【００２３】
またシャント抵抗２３には、校正するチャンネルから出力する定電流Ｉの２乗とシャント抵抗２３の抵抗値Ｒとを乗算した値が、電力供給源の定格電力Ｗ以下であるという条件を満たすように、低抵抗のものを用いる。これは、シャント抵抗２３に高抵抗のものを用いると、電力供給源の出力が足りないことによって、シャント抵抗２３を流れる電流の電流値が所望する電流値にならない場合があるためである。なお、シャント抵抗２３は、正極側バスバー１１と負極側バスバー１２のどの位置に接続されていてもよい。
【００２４】
フィクスチャ４は、正極側配線１７ａ〜１７ｎと負極側配線１８ａ〜１８ｎの配置を整える。具体的には、フィクスチャ４は、プローブ１９ａ〜１９ｎ及びプローブ２０ａ〜２０ｎの位置の調整が可能な状態で、正極側配線１７ａ〜１７ｎ及び負極側配線１８ａ〜１８ｎのそれぞれの位置が予め定められた位置になるように固定する。これにより、プローブ接続部２１ａ〜２１ｎ及びプローブ接続部２２ａ〜２２ｎの位置がプローブ１９ａ〜１９ｎ及び２０ａ〜２０ｎに対してずれた位置であっても、位置を調整して接続させることができる。
【００２５】
次に、充放電試験装置２の校正手順について説明する。ここで、実施の形態１にかかる充放電試験ユニット１Ａは、充放電試験装置２が二次電池に対して充電を行う充電運転で動作する場合と、充放電試験装置２が二次電池を放電させる放電運転で動作する場合と、についてそれぞれ校正試験を行うことができる。そこで、以下では、充放電試験装置２を充電モードで動作させる場合の校正方法と、充放電試験装置２を放電運転で動作させる場合の校正方法と、をそれぞれ説明する。
【００２６】
まず、充放電試験装置２を充電運転で動作させる場合の校正について説明する。この場合、まず、校正治具３を充放電試験装置２にセットする。すなわち、プローブ１９ａ〜１９ｎがプローブ接続部２１ａ〜２１ｎに、またプローブ２０ａ〜２０ｎがプローブ接続部２２ａ〜２２ｎにそれぞれ接続された状態となる。
【００２７】
校正対象のチャンネルｃｈ１からｃｈＮまで順々に、シャント抵抗２３に定電流を流す。例えば、校正を行いたいチャンネルがチャンネルｃｈ１であれば、ＤＣ／ＤＣコンバータ６ａから電流を出力させる。ＤＣ／ＤＣコンバータ６ａから出力された電流は、経路１５ａ、正極側配線１７ａを介して、正極側バスバー１１を通り、シャント抵抗２３を通って負極側バスバー１２を通り、負極側配線１８ａ、経路１６ａを介してＤＣ／ＤＣコンバータに戻る。制御部は、このように校正を行いたい各チャンネルについて、直流電流を順番に出力するように、ＤＣ／ＤＣコンバータ６ａ〜６ｎの出力を制御する。
【００２８】
電流計８ａ〜８ｎを用いて、各チャンネルｃｈ１〜ｃｈＮが出力する定電流Ｉ１〜Ｉｎを測定する。
【００２９】
校正対象のチャンネルｃｈ１からｃｈＮまで順々に、チャンネルごとに電圧計９ａ〜９ｎを用いて、シャント抵抗２３の両端電圧の電圧値Ｖ１〜Ｖｎを測定する。
【００３０】
デジタルマルチメータ１０を用いて、シャント抵抗２３の両端電圧の電圧値Ｖｒ１〜Ｖｒｎを測定する。
【００３１】
デジタルマルチメータ１０で測定された電圧値Ｖｒ１〜Ｖｒｎと、電圧計９ａ〜９ｎを用いて測定された電圧値Ｖ１〜Ｖｎとを比較する。これにより、デジタルマルチメータ１０における測定値に対して、電圧計９ａ〜９ｎの測定値をそれぞれ比較することができる。これにより、電圧計９ａ〜９ｎを校正することができる。
【００３２】
また、シャント抵抗２３に流れた電流の電流値Ｉｒ１〜Ｉｒｎを計算する。ここで電流値Ｉｒ１は、チャンネルｃｈ１から電流が流れているときに、デジタルマルチメータ１０で測定されたシャント抵抗２３の両端抵抗の抵抗値Ｖｒ１を、シャント抵抗２３の抵抗値Ｒで除算することにより算出した値である。同様にして、電流値Ｉｒ２〜Ｉｒｎを算出する。
【００３３】
算出した電流値Ｉｒ１〜Ｉｒｎと、電流計８ａ〜８ｎで測定された電流値Ｉ１〜Ｉｎとをそれぞれ比較する。これにより、デジタルマルチメータ１０によって測定された測定値に対し、電流計８ａ〜８ｎで測定された測定値をそれぞれ比較することができる。これにより、デジタルマルチメータ１０に基づいて、電流計８ａ〜８ｎを校正することができる。
【００３４】
これにより、１つのシャント抵抗２３を備える校正治具３を充放電試験装置２に接続することによって、充放電試験装置２の各チャンネルの電流計８ａ〜８ｎと、電圧計９ａ〜９ｎを、それぞれ校正することができる。
【００３５】
まず、充放電試験装置２を放電運転で動作させる場合の校正について説明する。この場合、まず、ある特定のチャンネルを充電運転で校正しておく。以下の説明では動作の一例として、チャンネルＣｈ１を充電運転で校正しておく例を説明する。そして、校正治具３を充放電試験装置２にセットする。すなわち、プローブ１９ａ〜１９ｎがプローブ接続部２１ａ〜２１ｎに、またプローブ２０ａ〜２０ｎがプローブ接続部２２ａ〜２２ｎにそれぞれ接続された状態となる。
【００３６】
校正済みチャンネルＣｈ１を定電圧で充電運転し、校正対象のチャンネルｃｈ２からｃｈＮまで順々に、定電流で放電運転させる。これにより、シャント抵抗２３に定電流を流す。例えば、校正を行いたいチャンネルがチャンネルｃｈ２であれば、ＤＣ／ＤＣコンバータ６ａから電流を出力させる。ＤＣ／ＤＣコンバータ６ａから出力された電流は、経路１５ａ、正極側配線１７ａを介して、正極側バスバー１１を通り、シャント抵抗２３を通って負極側バスバー１２を通り、負極側配線１８ｂ、経路１６ｂを介してＤＣ／ＤＣコンバータ６ｂに戻る。制御部は、このように校正を行いたい各チャンネルについて、直流電流を順番に放電するように、ＤＣ／ＤＣコンバータ６ｂ〜６ｎの出力を制御する。
【００３７】
校正対象のチャンネルｃｈ２からｃｈＮまで順々に、チャンネルごとに電圧計９ｂ〜９ｎを用いて、シャント抵抗２３の両端電圧の電圧値Ｖ２〜Ｖｎを測定する。
【００３８】
デジタルマルチメータ１０を用いて、シャント抵抗２３の両端電圧の電圧値Ｖｒ２〜Ｖｒｎを測定する。
【００３９】
デジタルマルチメータ１０で測定された電圧値Ｖｒ２〜Ｖｒｎと、電圧計９ｂ〜９ｎを用いて測定された電圧値Ｖ２〜Ｖｎとを比較する。これにより、デジタルマルチメータ１０における測定値に対して、電圧計９ｂ〜９ｎの測定値をそれぞれ比較することができる。これにより、電圧計９ｂ〜９ｎを校正することができる。
【００４０】
また、シャント抵抗２３に流れた電流の電流値Ｉｒ２〜Ｉｒｎを計算する。ここで電流値Ｉｒ２は、チャンネルｃｈ１から電流が出力されているときに、デジタルマルチメータ１０で測定されたシャント抵抗２３の両端抵抗の抵抗値Ｖｒ１を、シャント抵抗２３の抵抗値Ｒで除算することにより算出した値である。同様にして、電流値Ｉｒ２〜Ｉｒｎを算出する。
【００４１】
算出した電流値Ｉｒ２〜Ｉｒｎと、電流計８ｂ〜８ｎで測定された電流値Ｉ２〜Ｉｎとをそれぞれ比較する。これにより、デジタルマルチメータ１０によって測定された測定値に対し、電流計８ｂ〜８ｎで測定された測定値をそれぞれ比較することができる。これにより、デジタルマルチメータ１０に基づいて、電流計８ｂ〜８ｎを校正することができる。
【００４２】
これにより、１つのシャント抵抗２３を備える校正治具３を充放電試験装置２に接続することによって、充放電試験装置２の各チャンネルの電流計８ｂ〜８ｎと、電圧計９ｂ〜９ｎを、それぞれ校正することができる。なお、放電運転状態でのチャンネルＣｈ１の校正は、チャンネルＣｈ２〜ＣｈＮのいずれか１つを校正済みチャンネルとしてチャンネルＣｈ１を校正対象のチャンネルとすることで行うことができる。
【００４３】
二次電池を充放電試験装置２にセットする場合と同様に、プローブ１９ａ〜１９ｎ及びプローブ２０ａ〜２０ｎを、校正治具３の正極側バスバー１１及び負極側バスバー１２に接続することによって校正を行うことができる。したがって、二次電池をセットする実使用条件における校正が可能であり、実使用時と校正時の条件を揃えることができるため、校正の誤差を低減することができる。また、コネクタ７ａ〜７ｎにおける正極側配線１７ａ〜１７ｎ及び負極側配線１８ａ〜１８ｎの抜き差しは不要であるため、安全性が向上すると共に、短時間かつ高頻度での校正が実行可能であり、品質保証度の向上が期待できる。
【００４４】
実施の形態２
実施の形態２では、校正治具３の別の例となる校正治具３Ｂを有する充放電試験装置ユニット１Ｂについて説明する。そこで、実施の形態２にかかる充放電試験装置ユニット１Ｂのブロック図を図２に示す。
【００４５】
図２に示すように、実施の形態２にかかる充放電試験装置ユニット１Ｂは、実施の形態１にかかる充放電試験装置ユニット１の校正治具３を校正治具３Ｂに置き換えたものである。校正治具３Ｂは、シャント抵抗２３と直列に接続された電圧保持部３０を有する。電圧保持部３０は、例えば、二次電池、キャパシタ等の充放電と電圧保持が可能な素子である。
【００４６】
また、校正治具３Ｂは、正極側バスバー１１が正極側バスバー１１ａと電圧測定用正極側バスバー１１ｂとを有する。正極側バスバー１１ａには、実施の形態１と同様に、プローブ接続部２１ａ〜２１ｎが設けられ、当該プローブ接続部２１ａ〜２１ｎにプローブ１９ａ〜１９ｎが接続される。電圧測定用正極側バスバー１１ｂには、電圧計９ａ〜９ｎの一端と、デジタルマルチメータ１０の一端が接続される。また、校正治具３Ｂでは、負極側バスバー１２が負極側バスバー１２ａと電圧測定用負極側バスバー１２ｂとを有する。負極側バスバー１２ａには、実施の形態１と同様に、プローブ接続部２２ａ〜２２ｎが設けられ、当該プローブ接続部２２ａ〜２２ｎにプローブ２０ａ〜２０ｎが接続される。電圧測定用負極側バスバー１２ｂには、電圧計９ａ〜９ｎの他端と、デジタルマルチメータ１０の他端が接続される。
【００４７】
校正治具３Ｂでは、シャント抵抗２３と電圧保持部３０とを直列接続した回路が正極側バスバー１１ａと負極側バスバー１２ａとの間に接続される。また、シャント抵抗２３の一端が電圧測定用正極側バスバー１１ｂに接続され、シャント抵抗２３の他端が電圧測定用負極側バスバー１２ｂに接続される。
【００４８】
続いて、実施の形態２にかかる充放電試験装置ユニット１Ｂを用いた充放電試験装置２の校正手順について説明する。なお、実施の形態２の校正手順では、充放電試験装置２が充電運転となる場合と放電運転となる場合のそれぞれで校正を行う。そこで、以下では、充放電試験装置２が充電運転を行う場合の校正手順と、充放電試験装置２が放電運転を行う場合の校正手順とをそれぞれ説明する。
【００４９】
まず、充放電試験装置２が充電運転を行う場合の校正手順について説明する。この場合、校正治具３Ｂを充放電試験装置２にセットする。すなわち、プローブ１９ａ〜１９ｎがプローブ接続部２１ａ〜２１ｎに、またプローブ２０ａ〜２０ｎがプローブ接続部２２ａ〜２２ｎにそれぞれ接続された状態となる。
【００５０】
校正対象のチャンネルｃｈ１からｃｈＮまで順々に、シャント抵抗２３及び電圧保持部３０に定電流を流す。例えば、校正を行いたいチャンネルがチャンネルｃｈ１であれば、ＤＣ／ＤＣコンバータ６ａから電流を出力させる。ＤＣ／ＤＣコンバータ６ａから出力された電流は、経路１５ａ、正極側配線１７ａを介して、正極側バスバー１１ａを通り、電圧保持部３０及びシャント抵抗２３を通って負極側バスバー１２ａを通り、負極側配線１８ａ、経路１６ａを介してＤＣ／ＤＣコンバータに戻る。制御部は、このように校正を行いたい各チャンネルについて、直流電流を順番に出力するように、ＤＣ／ＤＣコンバータ６ａ〜６ｎの出力を制御する。また、チャンネルｃｈ１から出力される電流により、電圧保持部３０が充電される。
【００５１】
電流計８ａ〜８ｎを用いて、各チャンネルｃｈ１〜ｃｈＮが出力する定電流Ｉ１〜Ｉｎを測定する。
【００５２】
校正対象のチャンネルｃｈ１からｃｈＮまで順々に、チャンネルごとに電圧計９ａ〜９ｎを用いて、シャント抵抗２３の両端電圧の電圧値Ｖ１〜Ｖｎを測定する。
【００５３】
デジタルマルチメータ１０を用いて、シャント抵抗２３の両端電圧の電圧値Ｖｒ１〜Ｖｒｎを測定する。
【００５４】
デジタルマルチメータ１０で測定された電圧値Ｖｒ１〜Ｖｒｎと、電圧計９ａ〜９ｎを用いて測定された電圧値Ｖ１〜Ｖｎとを比較する。これにより、デジタルマルチメータ１０における測定値に対して、電圧計９ａ〜９ｎの測定値をそれぞれ比較することができる。これにより、電圧計９ａ〜９ｎを校正することができる。
【００５５】
また、シャント抵抗２３に流れた電流の電流値Ｉｒ１〜Ｉｒｎを計算する。ここで電流値Ｉｒ１は、チャンネルｃｈ１から電流が流れているときに、デジタルマルチメータ１０で測定されたシャント抵抗２３の両端抵抗の抵抗値Ｖｒ１を、シャント抵抗２３の抵抗値Ｒで除算することにより算出した値である。同様にして、電流値Ｉｒ２〜Ｉｒｎを算出する。
【００５６】
算出した電流値Ｉｒ１〜Ｉｒｎと、電流計８ａ〜８ｎで測定された電流値Ｉ１〜Ｉｎとをそれぞれ比較する。これにより、デジタルマルチメータ１０によって測定された測定値に対し、電流計８ａ〜８ｎで測定された測定値をそれぞれ比較することができる。これにより、デジタルマルチメータ１０に基づいて、電流計８ａ〜８ｎを校正することができる。
【００５７】
次いで、充放電試験装置２が放電運転を行う場合の校正手順について説明する。この場合、校正治具３Ｂを充放電試験装置２にセットする。すなわち、プローブ１９ａ〜１９ｎがプローブ接続部２１ａ〜２１ｎに、またプローブ２０ａ〜２０ｎがプローブ接続部２２ａ〜２２ｎにそれぞれ接続された状態となる。
【００５８】
校正対象のチャンネルｃｈ１からｃｈＮまで順々に、定電流で放電動作を行う。このとき、電圧保持部３０には、上記の充電運転による充電が行われた状態であるため、チャンネルｃｈ１からｃｈＮは電圧保持部３０に蓄電された電荷を定電流で放電することになる。これによりシャント抵抗２３に定電流が流れる。例えば、校正を行いたいチャンネルがチャンネルｃｈ１であれば、ＤＣ／ＤＣコンバータ６ａが定電流Ｉ１を放電する。電圧保持部３０から出力された電流は、正極側バスバー１１ａ、正極側配線１７ａ、経路１５ａを通ってＤＣ／ＤＣコンバータ６ａに流れ込む。また、このとき、シャント抵抗２３には、電圧保持部３０が出力する電流と同じ電流量の電流がシャント抵抗２３に流れる。制御部は、このように校正を行いたい各チャンネルについて、直流電流を順番に放電するように、ＤＣ／ＤＣコンバータ６ａ〜６ｎの出力を制御する。
【００５９】
電流計８ａ〜８ｎを用いて、各チャンネルｃｈ１〜ｃｈＮが放電する定電流Ｉ１〜Ｉｎを測定する。
【００６０】
校正対象のチャンネルｃｈ１からｃｈＮまで順々に、チャンネルごとに電圧計９ａ〜９ｎを用いて、シャント抵抗２３の両端電圧の電圧値Ｖ１〜Ｖｎを測定する。
【００６１】
デジタルマルチメータ１０を用いて、シャント抵抗２３の両端電圧の電圧値Ｖｒ１〜Ｖｒｎを測定する。
【００６２】
デジタルマルチメータ１０で測定された電圧値Ｖｒ１〜Ｖｒｎと、電圧計９ａ〜９ｎを用いて測定された電圧値Ｖ１〜Ｖｎとを比較する。これにより、デジタルマルチメータ１０における測定値に対して、電圧計９ａ〜９ｎの測定値をそれぞれ比較することができる。これにより、電圧計９ａ〜９ｎを校正することができる。
【００６３】
また、シャント抵抗２３に流れた電流の電流値Ｉｒ１〜Ｉｒｎを計算する。ここで電流値Ｉｒ１は、チャンネルｃｈ１から電流が流れているときに、デジタルマルチメータ１０で測定されたシャント抵抗２３の両端抵抗の抵抗値Ｖｒ１を、シャント抵抗２３の抵抗値Ｒで除算することにより算出した値である。同様にして、電流値Ｉｒ２〜Ｉｒｎを算出する。
【００６４】
算出した電流値Ｉｒ１〜Ｉｒｎと、電流計８ａ〜８ｎで測定された電流値Ｉ１〜Ｉｎとをそれぞれ比較する。これにより、デジタルマルチメータ１０によって測定された測定値に対し、電流計８ａ〜８ｎで測定された測定値をそれぞれ比較することができる。これにより、デジタルマルチメータ１０に基づいて、電流計８ａ〜８ｎを校正することができる。
【００６５】
なお、充電運転時には、電圧保持部３０の電圧Ｖｂを監視しながら充放電試験装置２を動作させることが好ましい。充電運転時の電圧Ｖｂは、動作が各チャンネルの出力電圧Ｖｏからシャント抵抗２３の両端の電圧差Ｖｒを引くことで算出できる。また、放電運転時にも、電圧保持部３０の電圧Ｖｂを監視しながら充放電試験装置２を動作させることが好ましい。放電運転時の電圧Ｖｂは、動作が各チャンネルの出力電圧Ｖｏにシャント抵抗２３の両端の電圧差Ｖｒを加算することで算出できる。
【００６６】
また、シャント抵抗２３の抵抗値は、シャント抵抗の抵抗値と電圧保持部３０の内部抵抗の合成抵抗が、電圧計９ａ〜９ｎの入力インピーダンスＺｎ（ｎ個の電圧計の入力インピーダンスを並列接続させた場合の合成抵抗）と比較して無視できる程度に小さくなる値を選択することが好ましい。
【００６７】
また、デジタルマルチメータ１０の測定精度は、電流出力精度とシャント抵抗２３の抵抗値との積の１０倍以上、かつ、電圧計９ａ〜９ｎの精度の１０倍以上となっていることが好ましい。
【００６８】
放電運転時の充放電試験装置２の校正を行う場合、充放電試験装置２が定電圧出力機能を有している必要がある。しかしながら、充放電試験装置の中には定電圧出力機能を有していない装置が存在する。このような場合であっても、実施の形態２にかかる校正治具３Ｂを用いることで、充電運転を用いた充放電試験装置２の校正手順中に電圧保持部３０を充電し、当該充電された電圧保持部３０を用いて、放電動作時に充放電試験装置２に所定の電圧を与え、放電運転を行う場合の充放電試験装置２の校正を行うことができる。
【００６９】
このとき、実施の形態２にかかる校正手順では、実施の形態１と同様に、充放電試験装置２が１つのシャント抵抗２３を備える校正治具３Ｂを充放電試験装置２に接続することによって、充放電試験装置２の各チャンネルの電流計８ａ〜８ｎと、電圧計９ａ〜９ｎを、それぞれ校正することができる。
【００７０】
なお、本発明は上記実施の形態に限られたものではなく、趣旨を逸脱しない範囲で適宜変更することが可能である。例えば、プローブ１９ａ〜１９ｎ及びプローブ２０ａ〜２０ｎは、内部にバネを有しており、先端がバネにより押し付けられることによって、プローブ接続部２１ａ〜２１ｎ及びプローブ接続部２２ａ〜２２ｎに固定されるものであっても良い。
【符号の説明】
【００７１】
１  充放電試験装置ユニット
２  充放電試験装置
３、３Ｂ  校正治具
４  フィクスチャ
５ａ−５ｎ  ＡＣ／ＤＣコンバータ
６ａ−６ｎ  ＤＣ／ＤＣコンバータ
７ａ−７ｎ  コネクタ
８ａ−８ｎ  電流計
９ａ−９ｎ  電圧計
１０  デジタルマルチメータ
１１、１１ａ、１１ｂ  正極側バスバー
１２、１１ａ、１２ｂ  負極側バスバー
１３ａ−１３ｎ  経路
１４ａ−１４ｎ  経路
１５ａ−１５ｎ  経路
１６ａ−１６ｎ  経路
１７ａ−１７ｎ  正極側配線
１８ａ−１８ｎ  負極側配線
１９ａ−１９ｎ  プローブ
２０ａ−２０ｎ  プローブ
２１ａ−２１ｎ  プローブ接続部
２２ａ−２２ｎ  プローブ接続部
２３  シャント抵抗
３０  電圧保持部
【図１】
0006365431.tif 000002
【図２】
0006365431.tif 000003